(57)【特許請求の範囲】
【請求項１】
モジュラプラグを挿入するプラグ挿入口が開口したジャック本体が保持されたボディと前記ボディに結合して前記ジャック本体を覆うカバーとからなる器体と、着色された部材によって形成されたカラーチップとを備え、前記カバーは係合部を有し、前記ボディは前記係合部が係合する被係合部を有し、前記係合部と前記被係合部との係合によって前記ボディと前記カバーとは前記器体を構成し、前記カラーチップには本体部から一対の係合片が同じ方向へ突設され、前記カバーにおいて前記プラグ挿入口に対応した位置には前記係合片が挿入される係合穴が設けられ、各係合片には前記係合片が並ぶ方向であって互いに異なる向きに係合爪が突設されており、各係合片は可撓であって、前記本体部と前記係合爪との間で前記係合穴の縁部を挟むことによって前記カラーチップが前記カバーに保持され、前記カラーチップが前記カバーに保持された状態において係合穴の方向に指で押操作可能な程度に前記カバー内面より内側へ突出する突出部が前記係合片の先部に設けられて成ることを特徴とするモジュラジャック。
【請求項２】
各係合爪において前記係合片の先端に近い側の縁部には前記係合片の基部に向かって係合爪の突出寸法が大きくなる方向へ傾斜した取付傾斜部が設けられ、前記係合穴の縁部の外面側において前記係合片を前記係合穴に挿入する際に前記係合爪に当接する部分には外面側へ向かって前記係合穴を広げる方向へ傾斜した取付傾斜面が設けられていることを特徴とする請求項１記載のモジュラジャック。
【請求項３】
各係合爪において前記係合片の基部に近い部分には前記係合片の先端に向かって係合爪の突出寸法が大きくなる方向へ傾斜した取外し傾斜部が設けられ、前記係合穴の縁部の内面側において前記係合爪に当接する部分には前記カバーの内面側へ向かって前記係合穴を広げる方向へ傾斜した取外し傾斜面が設けられていることを特徴とする請求項１又は請求項２記載のモジュラジャック。
【請求項４】
前記本体部の前記係合片付近であって、前記係合片が前記係合穴に挿抜される際に前記係合片が撓む側には、前記係合片の撓み方向に交差して延びた撓み溝が形成されていることを特徴とする請求項１乃至請求項３のいずれか１項に記載のモジュラジャック。
【請求項５】
前記カラーチップが前記器体に保持された状態において前記本体部が収納される収納窪みが前記カバーに設けられ、前記本体部は前記収納窪みの開口面よりも前記カバーの内側に収まることを特徴とする請求項１乃至請求項４のいずれか１項に記載のモジュラジャック。
【発明の詳細な説明】
【０００１】
【発明の属する技術分野】
本発明は、ジャック本体を器体に収納したモジュラジャックに関するものである。
【０００２】
【従来の技術】
従来から、モジュラプラグが挿入されるプラグ挿入口を有するジャック本体を器体に収納したモジュラジャックが提供されており、この種のモジュラジャックは情報通信ケーブルの中継や分岐等に用いられている。このようなモジュラジャックにおいてプラグ挿入口の接続先の系統を識別したいときは、プラグ挿入口の接続先の系統毎に色分けしたり文字を記入したりしたラベルを標識としてプラグ挿入口付近に貼着していた。
【０００３】
【発明が解決しようとする課題】
しかし、ラベルを使用すると接続先に変更があった場合に貼り替える必要があるため手間がかかる。また、ラベルを貼ってから時間がたつとラベルに働く外力や粘着剤の変質等が原因でラベルが剥離することがあった。
【０００４】
本発明は、上記事由に鑑みてなされたものであり、その目的は、プラグ挿入口の接続先の系統を示す標識を設けながらも標識の変更が容易でかつ標識が剥離することのないモジュラジャックを提供することにある。
【０００５】
【課題を解決するための手段】
請求項１の発明は、モジュラプラグを挿入するプラグ挿入口が開口したジャック本体が保持されたボディと前記ボディに結合して前記ジャック本体を覆うカバーとからなる器体と、着色された部材によって形成されたカラーチップとを備え、前記カバーは係合部を有し、前記ボディは前記係合部が係合する被係合部を有し、前記係合部と前記被係合部との係合によって前記ボディと前記カバーとは前記器体を構成し、前記カラーチップには本体部から一対の係合片が同じ方向へ突設され、前記カバーにおいて前記プラグ挿入口に対応した位置には前記係合片が挿入される係合穴が設けられ、各係合片には前記係合片が並ぶ方向であって互いに異なる向きに係合爪が突設されており、各係合片は可撓であって、前記本体部と前記係合爪との間で前記係合穴の縁部を挟むことによって前記カラーチップが前記カバーに保持され、前記カラーチップが前記カバーに保持された状態において係合穴の方向に指で押操作可能な程度に前記カバー内面より内側へ突出する突出部が前記係合片の先部に設けられて成ることを特徴とする。
【０００７】
請求項２の発明は、請求項１記載のモジュラジャックにおいて、各係合爪において前記係合片の先端に近い側の縁部には前記係合片の基部に向かって係合爪の突出寸法が大きくなる方向へ傾斜した取付傾斜部が設けられ、前記係合穴の縁部の外面側において前記係合片を前記係合穴に挿入する際に前記係合爪に当接する部分には外面側へ向かって前記係合穴を広げる方向へ傾斜した取付傾斜面が設けられていることを特徴とする。
【０００８】
請求項３の発明は、請求項１又は請求項２記載のモジュラジャックにおいて、各係合爪において前記係合片の基部に近い部分には前記係合片の先端に向かって係合爪の突出寸法が大きくなる方向へ傾斜した取外し傾斜部が設けられ、前記係合穴の縁部の内面側において前記係合爪に当接する部分には前記カバーの内面側へ向かって前記係合穴を広げる方向へ傾斜した取外し傾斜面が設けられていることを特徴とする。
【００１０】
請求項４の発明は、請求項１乃至請求項３のいずれか１項に記載のモジュラジャックにおいて、前記本体部の前記係合片付近であって、前記係合片が前記係合穴に挿抜される際に前記係合片が撓む側には、前記係合片の撓み方向に交差して延びた撓み溝が形成されていることを特徴とする。
【００１１】
請求項５の発明は、請求項１乃至請求項４のいずれか１項に記載のモジュラジャックにおいて、前記カラーチップが前記カバーに保持された状態において前記本体部が収納される収納窪みが前記カバーに設けられ、前記本体部は前記収納窪みの開口面よりも前記カバーの内側に収まることを特徴とする。
【００１２】
【発明の実施の形態】
以下、本発明の実施の形態を図面に基づいて説明する。
【００１３】
（実施形態１）
本実施形態のモジュラジャック１は図２に示すように、ジャック本体２を略直方体形の器体３に収納した構成を有する。以下では、図１における方向に従って説明する。
【００１４】
ジャック本体２には、モジュラプラグが挿入されるプラグ挿入口２ａが前面に開口し、プラグ挿入口２ａの内部にはモジュラプラグの接触子と接触する複数本のコンタクト（図示せず）が設けられる。ジャック本体２の後部には端子台が設けられ、ジャック本体２の内部において接触端子とそれぞれ電気的に接続された複数の圧接端子２ｂが端子台に配列されている。圧接端子２ｂへ電線が接続された後、接続された電線の脱落を防ぐためにジャック本体２には圧接端子２ｂを覆う端子カバー６が取着される。
【００１５】
器体３は、ジャック本体２の下側を覆うボディ４と、ジャック本体２の上側を覆うカバー５とから成る。
【００１６】
ボディ４は略直方体形状であって、上面の前面側が窪んでおり、この窪みの内側にはジャック本体２が装着されるジャック収納部４ａが設けられている。ジャック収納部４ａの両側部には先部が鉤状部になった保持片４ｂが突設されている。ジャック本体２には、保持片４ｂと係合する保持溝２ｃが設けられており、保持片４ｂの鉤状部と保持溝２ｃとの係合によってジャック本体２は収納部４ａに保持される。収納部４ａの前面側のボディ４縁部にはプラグ挿入口２ａの前面側が開口した枠状部４ｃが一体に立設されている。さらに、ジャック本体２の圧接端子２ｂに電線が接続された後、電線の脱落を防ぐために、電線をボディ４に固定する張力止め金具７がタッピンねじ８によってボディ４の上面に固定される。
【００１７】
カバー５は矩形状の天板の周縁から周壁が垂設された形状であって、上方からの投影の形状がボディ４と同じ形状となっている。周壁のうち枠状部４ｃに対応する位置と、ジャック本体２の圧接端子２ｂに接続された電線を引き出す位置とには切欠きが設けられている。
【００１８】
ボディ４の上面の両側部には係合突起４ｄが突設されている。カバー５の両側部の周壁の内面には係合部としての突起が突設されていて、この突起と係合する被係合部としての窪みがボディ４の係合突起４ｄには凹設されている。ボディ４の係合突起４ｄに設けられた窪みとカバー５の両側部の周壁の内面に突設された突起との係合によりボディ４とカバー５とは器体３を構成する。
【００１９】
また、ボディ４にはプラグ挿入口２ａの前面側を覆う扉９が取り付けられている。扉９は２枚の扉体９ａ，９ｂからなる。枠状部４ｃの内側の両側部には扉体９ａ，９ｂが上下にスライド可能となるように扉体９ａ，９ｂの両側部を案内するガイド溝（図示せず）が設けられ、枠状部４ｃの下部には扉体９ａ，９ｂを収納可能な窪みが形成されている。そしてボディ４は、プラグ挿入口２ａの下方に取着された裏カバー１０と、裏カバー１０に支持され扉体９ａを扉９が閉じる向きに付勢するコイルスプリング１１とを有する。扉体９ａは、コイルスプリング１１に当接する腕部９ｃと、器体３の外側へ突設された操作片９ｄと、扉体９ｂに向かって突出した引掛け爪９ｅとを有する。
【００２０】
プラグ挿入口２ａを使用する場合は、使用したいモジュラプラグによって操作片９ｄを押す。すると扉体９ａと扉体９ｂとがともに下方向にスライドし、扉体９ａと扉体９ｂとが重なった状態で枠状部４ｃの下部の窪みに収納され、ここにおいてプラグ挿入口２ａが使用可能になるので、そのままモジュラプラグをプラグ挿入口２ａに挿入する。また、モジュラプラグを抜くと、扉体９ａはコイルスプリング１１のバネ力によって扉９を閉じる向きに付勢され、扉体９ａが扉体９ｂを引掛け爪９ｅで支持して扉体９ｂとともにプラグ挿入口２ａを閉塞する。
【００２１】
さらに、モジュラジャック１をスチール机のような磁性体に保持する手段として、磁石１２がボディ４の下面に取着されている。また、モジュラジャック１を壁面等に保持する手段として、ボディ４には壁面等に螺合するねじを挿入するための直付ねじ用穴４ｅが設けられている。
【００２２】
本実施形態におけるモジュラプラグ１は、プラグ挿入口２ａの接続先の系統を示す標識として、カバー５の上面のジャック本体２の上側に着脱可能なカラーチップ１３を備えることを特徴とする。
【００２３】
カラーチップ１３は熱可塑性樹脂などの材料で器体３とは別体に形成されている。図３乃至図５に示すようにカラーチップ１３は矩形平板状の本体部１３ａを有し、本体部１３ａの裏面には本体部１３ａの長手方向に並んだ一対の係合片１３ｂが垂設されている。各係合片１３ｂの他方の係合片１３ｂから離れた側には係合爪１３ｃがそれぞれ突設されている。また、各係合片１３ｂにおいて係合爪１３ｃが設けられた位置から更に本体部から離れる方向に突出部１３ｇが延設されている。
【００２４】
また、カバー５上面にはカラーチップ１３の本体部１３ａが収納される矩形状の収納窪み５ａが凹設され、収納窪み５ａの内部には係合片１３ｂが挿入される矩形状の係合穴５ｂが貫設されている。ここで、図３の寸法Ａは係合穴５ｂの長手方向の長さ寸法Ｃよりも小さく形成されており、寸法Ｂは係合穴５ｂの長手方向の長さ寸法Ｃと同程度に形成されている。また本体部１３ａ及び係合片１３ｂの幅寸法と収納窪み５ａ及び係合穴５ｂの短手方向の寸法とは全て同程度に形成されている。
【００２５】
各係合片１３ｂにおいて、係合爪１３ｃの本体部１３ａから離れた側の縁部には、係合片１３ｂの基部へ向かって他方の係合片１３ｂから離れる方向に傾斜した取付傾斜部１３ｄがそれぞれ設けられている。また、各突出部１３ｇの他方の係合片から離れた側には、取付傾斜部１３ｄに連続して、係合片１３ｂの基部へ向かって他方の係合片１３ｂから離れる方向に傾斜した傾斜面がそれぞれ設けられている。さらに、カバー５において、係合穴５ｂの長手方向の縁部には、外面に向かって係合穴５ｂを広くする方向に傾斜した取付傾斜面５ｃが設けられている。
【００２６】
カラーチップ１３をカバー５に装着するには、各係合片１３ｂの先部を係合穴５ｂに挿入してカラーチップ１３をカバー５に向かって押圧する。すると、各係合片１３ｂは他方の係合片１３ｂに近付く方向に撓み、係合爪１３ｃがカバー５の内面側に到達すると係合片１３ｂが復帰して図４に示すように係合爪１３ｃと本体部１３ａとによって係合穴５ｂの縁部が挟まれることにより、カラーチップ１３はカバー５に保持される。このとき、取付傾斜部１３ｄが取付傾斜面５ｃに沿って移動することにより装着を円滑に行うことができる。カラーチップ１３がカバー５に装着された状態において、係合片１３ｂの突出部１３ｇはカバー５の内面側に突出し、カバー５の外面側においてはカラーチップ１３の本体部１３ａは全体が収納窪み５ａに収納され、カバー５の上面より下側に収まる。
【００２７】
また、図４に示すように、各係合爪１３ｃにおいて本体部１３ａ側の縁部には、前記係合片１３ｂの先端に向かって他方の係合片１３ｂから離れる方向へ傾斜した取外し傾斜部１３ｅが設けられ、前記係合穴５ｂの長手方向の縁部の内面側には前記器体３の内面側へ向かって前記係合穴５ｂを広げる方向へ傾斜した取外し傾斜面５ｄが設けられている。また、カラーチップ１３の本体部１３ａの裏面において係合片１３ｂの基部の内側には係合片１３ｂに沿った撓み溝１３ｆが設けられている。
【００２８】
カラーチップ１３をカバー５から取り外す際は、まずカバー５をボディ４から取り外す。各係合片１３ｂの突出部１３ｇがカバー５の内面側に突出しているので、各突出部１３ｇを図５の矢印Ｆで示すように係合片１３ｂ同士が接近する方向に指で押すだけで図５の破線で示すように各係合片１３ｂが他方の係合片１３ｂに近付く方向に撓み、係合穴５ｂの縁部と係合爪１３ｃとの係合が容易に解除される。係合片１３ｂを係合穴５ｂから抜き出す際には、取外し傾斜部１３ｅが取外し傾斜面５ｄに沿って移動するので、カラーチップ１３の取り外しを容易に行うことができる。また、撓み溝１３ｆによって係合片１３ｂが撓み易くなっていることにより、カラーチップ１３のカバー５への取り付け及び取り外しを容易に行うことができる。
【００２９】
以上の構成によれば、プラグ挿入口２ａの接続先の系統を示す標識としてカラーチップ１３を用い、カラーチップ１３は器体３に着脱自在であるので、プラグ挿入口２ａの接続先の系統に変更があった場合でも付け替えが容易である。また粘着剤を使用しないため粘着剤の変質による剥離のおそれが無い。またカラーチップ１３が器体３に装着されている間は本体部１３ａが収納窪み５ａに収納されており、カラーチップ１の表面がカバー５の外面よりも内側に位置するので、外部からの衝撃等による破損のおそれが少ない。
【００３０】
（実施形態２）
実施形態１においては１つの器体３に１つのジャック本体２を備えるモジュラジャック１を示したが、本実施形態におけるモジュラジャック１は、図６及び図７に示すように１つの器体３に２つのジャック本体２を備え、各ジャック本体２と対応する収納窪み５ａと係合穴５ｂとがカバー５にそれぞれ設けられていて、各ジャック本体２と対応する端子カバー６と、扉９と、裏カバー１０と、コイルスプリング１１とをそれぞれ備える点が実施形態１と異なる。その他の構成は実施形態１と同様である。
【００３１】
このように、各ジャック本体２に対応する位置に収納窪み５ａ及び係合穴５ｂがそれぞれ形成されていれば、１つの器体３に収納されたジャック本体２がいくつであっても本発明の技術思想は適用可能である。
【００３２】
本実施形態の別形態として、４つのジャック本体２を備えたモジュラジャック１の例を図８及び図９に、６つのジャック本体２を備えたモジュラジャック１の例を図１０及び図１１にそれぞれ示す。これら２つの例については、薄肉の板状部であるノックアウト部４ｆがボディ４の両側縁及び後縁にそれぞれ立設されており、カバー５にはノックアウト部４ｆと対応する切り欠きが設けられている。ノックアウト部４ｆは薄肉部を破ることによってジャック本体２に接続された電線の引き出し口として利用できる。
【００３３】
これらの構成によれば１つのモジュラジャック１について各ジャック本体２に対応させてそれぞれカラーチップ１３を取り付けることができ、各モジュラジャック２の接続先の系統を識別できるほか、モジュラプラグにも同じ色の印を付けることなどによって誤接続を防止することができる。
【００３４】
【発明の効果】
請求項１の発明は、モジュラプラグを挿入するプラグ挿入口が開口したジャック本体が保持されたボディと前記ボディに結合して前記ジャック本体を覆うカバーとからなる器体と、着色された部材によって形成されたカラーチップとを備え、前記カバーは係合部を有し、前記ボディは前記係合部が係合する被係合部を有し、前記係合部と前記被係合部との係合によって前記ボディと前記カバーとは前記器体を構成し、前記カラーチップには本体部から一対の係合片が同じ方向へ突設され、前記カバーにおいて前記プラグ挿入口に対応した位置には前記係合片が挿入される係合穴が設けられ、各係合片には前記係合片が並ぶ方向であって互いに異なる向きに係合爪が突設されており、各係合片は可撓であって、前記本体部と前記係合爪との間で前記係合穴の縁部を挟むことによって前記カラーチップが前記カバーに保持され、前記カラーチップが前記カバーに保持された状態において係合穴の方向に指で押操作可能な程度に前記カバー内面より内側へ突出する突出部が前記係合片の先部に設けられて成るので、プラグ挿入口の接続先の系統に変更があった場合でも、接続先の系統を示す標識としてのカラーチップの付け替えが容易である。また粘着剤を使用しないため粘着剤の変質による剥離のおそれが無い。また、係合片の先部を指で押すだけで係合爪と係合穴との係合が解除できるので、カラーチップの取り外しが容易になる。
【００３６】
請求項２の発明は、請求項１記載のモジュラジャックにおいて、各係合爪において前記係合片の先端に近い側の縁部には前記係合片の基部に向かって係合爪の突出寸法が大きくなる方向へ傾斜した取付傾斜部が設けられ、前記係合穴の縁部の外面側において前記係合片を前記係合穴に挿入する際に前記係合爪に当接する部分には外面側へ向かって前記係合穴を広げる方向へ傾斜した取付傾斜面が設けられているので、取付傾斜部と取付傾斜面とによって係合爪が誘導されることによりカラーチップの取り付けが容易になる。
【００３７】
請求項３の発明は、請求項１又は請求項２記載のモジュラジャックにおいて、各係合爪において前記係合片の基部に近い部分には前記係合片の先端に向かって係合爪の突出寸法が大きくなる方向へ傾斜した取外し傾斜部が設けられ、前記係合穴の縁部の内面側において前記係合爪に当接する部分には前記カバーの内面側へ向かって前記係合穴を広げる方向へ傾斜した取外し傾斜面が設けられているので、取外し傾斜部と取外し傾斜面とによって係合爪が誘導されることによりカラーチップの取り外しが容易になる。
【００３９】
請求項４の発明は、請求項１乃至請求項３のいずれか１項に記載のモジュラジャックにおいて、前記本体部の前記係合片付近であって、前記係合片が前記係合穴に挿抜される際に前記係合片が撓む側には、前記係合片の撓み方向に交差して延びた撓み溝が形成されているので、係合片が撓み易くなり、したがってカラーチップの取り付け及び取り外しが容易になる。
【００４０】
請求項５の発明は、請求項１乃至請求項４のいずれか１項に記載のモジュラジャックにおいて、前記カラーチップが前記カバーに保持された状態において前記本体部が収納される収納窪みが前記カバーに設けられ、前記本体部は前記収納窪みの開口面よりも前記カバーの内側に収まるので、カラーチップがカバーに保持された状態において外部からの衝撃等によるカラーチップの破損が防止される。
【図面の簡単な説明】
【図１】本発明の実施形態１を示す斜視図である。
【図２】同上を示す分解斜視図である。
【図３】同上を示す要部断面図である。
【図４】同上を示す要部断面図である。
【図５】同上を示す要部断面図である。
【図６】本発明の実施形態２を示す斜視図である。
【図７】同上を示す分解斜視図である。
【図８】本発明の実施形態２の別形態を示す斜視図である。
【図９】同上を示す分解斜視図である。
【図１０】本発明の実施形態２のさらに別形態を示す斜視図である。
【図１１】同上を示す分解斜視図である。
【符号の説明】
１  モジュラジャック
２  ジャック本体
２ａ  プラグ挿入口
３  器体
５ａ  収納窪み
５ｂ  係合穴
５ｃ  取付傾斜面
５ｄ  取外し傾斜面
１３  カラーチップ
１３ａ  本体部
１３ｂ  係合片
１３ｃ  係合爪
１３ｄ  取付傾斜部
１３ｅ  取外し傾斜部
１３ｆ  撓み溝
１３ｇ  突出部
【図１】
0003599008.tif 000002
【図２】
0003599008.tif 000003
【図３】
0003599008.tif 000004
【図４】
0003599008.tif 000005
【図５】
0003599008.tif 000006
【図６】
0003599008.tif 000007
【図７】
0003599008.tif 000008
【図８】
0003599008.tif 000009
【図９】
0003599008.tif 000010
【図１０】
0003599008.tif 000011
【図１１】
0003599008.tif 000012